(57)【要約】【課題】  往信部と返信部とが連接してなるはがき基材とは別体となる隠蔽片を用いることなく、返信部に記入された情報を隠蔽する。【解決手段】  情報記入領域２ａを有する返信部２と往信部１とが折り畳み可能に連接してなる往復はがきにおいて、返信部２の情報記入領域２ａ上に、筆記性を具備する粘着剤２０ａが塗布されてなる第１の貼着層を積層し、往信部１と返信部２とが折り線３を介して折り畳まれた場合に往信部１の情報記入領域２ａの裏面部分と対向する部分に分離領域１ａを区画形成し、この分離領域１ａのうち裏面側に粘着剤２０ｂが塗布されてなる第２の貼着層を積層し、粘着剤２０ａ，２０ｂを、互いにのみが貼着及び剥離可能なものとする。【選択図】図１
2006347108.tif 000002
【特許請求の範囲】
【請求項１】
往信部と返信部とが折り畳み可能に連接してなる往復はがきにおいて、
前記返信部は、情報が記入される情報記入領域を有し、該情報記入領域上に、筆記性を具備する第１の貼着手段からなる第１の貼着層が積層され、
前記往信部は、前記情報記入領域の少なくとも一部を覆う大きさを具備して他の領域から分離される分離領域が区画形成され、前記分離領域のうち当該往信部と前記返信部とが折り畳まれた場合に前記第１の貼着層と対向しない面に、前記第１の貼着手段のみが貼着及び剥離可能な第２の貼着手段からなる第２の貼着層が積層され、
前記第１の貼着手段は、前記第２の貼着手段のみが貼着及び剥離可能である往復はがき。
【請求項２】
往信部と返信部とが折り畳み可能に連接してなる往復はがきにおいて、
前記返信部は、該返信部と前記往信部とが往復はがきとして折り畳まれた場合に内面となる側に情報が記入される情報記入領域を有し、該情報記入領域上に、筆記性を具備する第１の貼着手段からなる第１の貼着層が積層され、
前記往信部は、該往信部と前記返信部とが折り畳まれた場合に前記第１の貼着層と対向しない領域に他の領域から分離される分離領域が区画形成され、前記分離領域のうち当該往信部と前記返信部とが往復はがきとして折り畳まれた場合に内面となる側に、前記第１の貼着手段のみが貼着及び剥離可能な第２の貼着手段からなる第２の貼着層が積層され、
前記第１の貼着手段は、前記第２の貼着手段のみが貼着及び剥離可能である往復はがき。
【発明の詳細な説明】
【技術分野】
【０００１】
本発明は、往復はがきに関し、返信部に記入された情報を隠蔽可能な往復はがきに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。このようなものとして、例えば、往復はがきにおいて、往信部の一部に隠蔽片を剥離可能、再貼着可能に貼着しておき、返信部に設けられた情報記入領域に情報を記入した後に、往信部から隠蔽片を剥離してこの隠蔽片を情報記入領域上に貼着して返信部を送付し、その後、返信部の送付先にて隠蔽片を剥離して情報記入領域に記入された情報を視認可能とするものが用いられている。
【０００３】
また、このような往復はがきにおいて、往信部に貼着された隠蔽片の下部に情報を付与しておき、それにより、往信部に付与された情報も隠蔽可能とするものが考えられている（例えば、特許文献１参照。）。
【特許文献１】特開平１１−１０８０号公報
【発明の開示】
【発明が解決しようとする課題】
【０００４】
しかしながら、上述したように、往信部の一部に隠蔽片を剥離可能、再貼着可能に貼着しておき、この隠蔽片を往信部から剥離して返信部に貼着することにより、返信部に記入された情報を隠蔽するものにおいては、返信部に記入された情報を隠蔽するためだけの隠蔽片を往信部に剥離可能、再貼着可能に貼着しておく必要があるため、往信部と返信部が連接してなるはがき基材の他に隠蔽片を作製し、これを往信部に貼着しておく必要があり、その分のコストアップが生じてしまうという問題点がある。
【０００５】
本発明は、上述したような従来の技術が有する問題点に鑑みてなされたものであって、往信部と返信部とが連接してなるはがき基材とは別体となる隠蔽片を用いることなく、返信部に記入された情報を隠蔽することができる往復はがきを提供することを目的とする。
【課題を解決するための手段】
【０００６】
上記目的を達成するために本発明は、
往信部と返信部とが折り畳み可能に連接してなる往復はがきにおいて、
前記返信部は、情報が記入される情報記入領域を有し、該情報記入領域上に、筆記性を具備する第１の貼着手段からなる第１の貼着層が積層され、
前記往信部は、前記情報記入領域の少なくとも一部を覆う大きさを具備して他の領域から分離される分離領域が区画形成され、前記分離領域のうち当該往信部と前記返信部とが折り畳まれた場合に前記第１の貼着層と対向しない面に、前記第１の貼着手段のみが貼着及び剥離可能な第２の貼着手段からなる第２の貼着層が積層され、
前記第１の貼着手段は、前記第２の貼着手段のみが貼着及び剥離可能である。
【０００７】
また、往信部と返信部とが折り畳み可能に連接してなる往復はがきにおいて、
前記返信部は、該返信部と前記往信部とが往復はがきとして折り畳まれた場合に内面となる側に情報が記入される情報記入領域を有し、該情報記入領域上に、筆記性を具備する第１の貼着手段からなる第１の貼着層が積層され、
前記往信部は、該往信部と前記返信部とが折り畳まれた場合に前記第１の貼着層と対向しない領域に他の領域から分離される分離領域が区画形成され、前記分離領域のうち当該往信部と前記返信部とが往復はがきとして折り畳まれた場合に内面となる側に、前記第１の貼着手段のみが貼着及び剥離可能な第２の貼着手段からなる第２の貼着層が積層され、
前記第１の貼着手段は、前記第２の貼着手段のみが貼着及び剥離可能である。
【０００８】
上記のように構成された本発明においては、第１の貼着手段からなる第１の貼着層が積層された返信部と、第２の貼着手段からなる第２の貼着層が積層された往信部とが折り畳まれて送付される。この際、返信部に積層された第１の貼着層を構成する第１の貼着手段は、往信部に積層された第２の貼着層を構成する第２の貼着手段のみが貼着可能であるため、返信部には剥離紙を貼付しておく必要がない。また、往信部に積層された第２の貼着層を構成する第２の貼着手段についても、返信部に積層された第１の貼着層を構成する第１の貼着手段のみが貼着可能であるため、往信部にも剥離紙を貼付しておく必要がない。また、第１の貼着層と第２の貼着層とは、往復はがきが折り畳まれた場合に対向しないようにそれぞれ積層されているので、往復はがきが折り畳まれた場合であっても往信部と返信部とが貼着してしまうことはない。この往復はがきが送付先に届けられた後、返信部に設けられた情報記入領域に情報が記入されることになるが、情報記入領域上に積層された第１の貼着層を構成する第１の貼着手段は筆記性を具備するため、情報を記入することができる。その後、往信部と返信部とが切り離されるとともに、往信部に区画形成された分離領域が他の領域から分離され、分離領域に積層された第２の貼着層と返信部の情報記入領域上に積層された第１の貼着層とによって、返信部の情報記入領域上に往信部の分離領域が貼着される。これにより、情報記入領域に記入された情報が往信部から分離された分離領域によって隠蔽されることになる。この状態で返信部が送付されれば、返信部の送付途中にて情報記入領域に記入された情報が外部から見られてしまうことがない。返信部と分離領域とを貼着している第１の貼着手段と第２の貼着手段とは、剥離可能であるため、返信部が送付先に届いた後、返信部から分離領域を剥離することによって、返信部の情報記入領域に記入された情報が視認可能となり、返信部の情報記入領域に記入された情報が返信部の送付先に伝達されることになる。
【発明の効果】
【０００９】
以上説明したように本発明においては、返信部に設けられた情報記入領域上に第１の貼着手段からなる第１の貼着層が積層され、また、往信部に、この第１の貼着手段のみが貼着及び剥離可能な第２の貼着手段からなる第２の貼着層が積層された分離領域が区画形成されているため、情報記入領域に情報を記入した後、分離領域を往信部の他の領域から分離して情報記入領域上に貼着することができ、それにより、往信部と返信部とが連接してなるはがき基材とは別体となる隠蔽片を用いることなく、返信部に記入された情報を隠蔽することができる。
【００１０】
また、第１及び第２の貼着層を、往復はがきが折り畳まれた場合に表出しない面に積層した場合は、第１の貼着手段や第２の貼着手段が塗布されたシート等が接触した場合であっても、それに貼着されてしまうことはない。
【発明を実施するための最良の形態】
【００１１】
以下に、本発明の実施の形態について図面を参照して説明する。
【００１２】
（第１の実施の形態）
図１は、本発明の往復はがきの第１の実施の形態を示す図であり、（ａ）は表面から見た図、（ｂ）は（ａ）に示したＡ−Ａ’断面図、（ｃ）は裏面から見た図である。
【００１３】
本形態は図１に示すように、往信部１と返信部２とが折り線３を介して折り畳み可能に連接してなるものであって、返信部２の往復はがきにおける表面側の一部には、情報を記入するための情報記入領域２ａが設けられ、また、往信部１と返信部２とが折り線３を介して折り畳まれた場合に往信部１の情報記入領域２ａの裏面部分と対向する部分に、分離線１ｂを介して他の領域から分離される分離領域１ａが区画形成されている。また、返信部２の情報記入領域２ａ上には、はがき基材１０上に第１の貼着手段である透明な粘着剤２０ａが塗布されることにより第１の貼着層が積層されている。また、往信部１の分離領域１ａのうち裏面側には、はがき基材１０上に第２の貼着手段である透明な粘着剤２０ｂが塗布されることにより第２の貼着層が積層されている。すなわち、第２の貼着層は、往信部１の分離領域１ａのうち、往信部１と返信部２とが折り線３を介して折り畳まれた場合に返信部２と対向しない面に積層されていることになる。
【００１４】
ここで、粘着剤２０ａ，２０ｂについて詳細に説明する。
【００１５】
粘着剤２０ａ，２０ｂは、自己粘着性を有する高分子ポリマー等の同一の材料からなり、手で押し付ける等といった通常の圧力で自己のみが貼着及び剥離可能なものである。すなわち、粘着剤２０ａは、粘着剤２０ｂのみが貼着及び剥離可能なものであり、また、粘着剤２０ｂは粘着剤２０ａのみが貼着及び剥離可能なものであり、それにより、往信部１の粘着剤２０ｂが塗布された面は、返信部２の粘着剤２０ａが塗布された面とのみ貼着し、他の紙や樹脂とは貼着しない。また、返信部２の粘着剤２０ａが塗布された面についても、往信部１の粘着剤２０ｂが塗布された面とのみ貼着し、他の紙や樹脂とは貼着しない。このように、粘着剤２０ａ，２０ｂとしては、常温、常圧において自着性を有し他着性を有さないものが挙げられる。この粘着剤２０ａ，２０ｂの一例としては、リカボンドＡＰ−２１７（中央理化製）が挙げられる。また、はがき基材１０上に粘着剤２０ａが塗布されてなる第１の貼着層は筆記性を有するため、はがき基材１０上に粘着剤２０ａが塗布されてなる返信部２の情報記入領域２ａには情報の記入が可能となっている。
【００１６】
以下に、上記のように構成された往復はがきの使用方法について説明する。
【００１７】
まず、上述した往復はがきを、図１（ａ）に示した表面が表出するように折り線３を介して折り畳む。
【００１８】
図２は、図１に示した往復はがきが折り畳まれた状態を示す図であり、（ａ）は往信部１側から見た図、（ｂ）は（ａ）に示したＡ−Ａ’断面図、（ｃ）は返信部２側から見た図である。
【００１９】
図２に示すように、図１に示した往復はがきが、図１（ａ）に示した表面が表出するように折り線３を介して折り畳まれた場合、往信部１の分離領域１ａが設けられた部分においては、往信部１と返信部２とが、分離領域１ａに塗布された粘着剤２０ｂを介して対向することになる。ところが、往信部１の粘着剤２０ｂが塗布された面は、返信部２の粘着剤２０ａが塗布された面とのみ貼着し、他の紙や樹脂とは貼着しないため、往信部１と返信部２とがこの粘着剤２０ｂによって貼着されてしまうことはない。また、返信部２に設けられた情報記入領域２ａにおいては、表面に塗布された粘着剤２０ａが表出することになるが、返信部２の粘着剤２０ａが塗布された面は、往信部１の粘着剤２０ｂが塗布された面とのみ貼着し、他の紙や樹脂とは貼着しないため、情報記入領域２ａ上に剥離紙を貼付しておく必要がない。
【００２０】
このような状態で往復はがきがその送付先に送付されることになる。
【００２１】
往復はがきがその送付先にて受け取られると、往復はがきの送付先において、返信部２に設けられた情報記入領域２ａに、往復はがきの送付元に通知すべき情報が記入されることになる。この際、上述したように、はがき基材１０上に塗布された粘着剤２０ａは筆記性を有するものであるため、はがき基材１０上に粘着剤２０ａが塗布されてなる返信部２の情報記入領域２ａには情報を記入することができる。このように情報記入領域２ａに情報を記入することにより、返信部２に情報を付与することになる。
【００２２】
次に、往信部１と返信部２とを折り線３を介して切り離すとともに、往信部１の分離領域１ａを分離線１ｂを介して他の領域から分離する。なお、この分離領域１ａの分離においては、分離線１ｂとしてミシン目を形成しておき、このミシン目によって分離することや、分離線１ｂをはさみ等で断裁することにより分離すること等が考えられる。
【００２３】
そして、往信部１から分離された分離領域１ａを返信部２の情報記入領域２ａ上に重ね合わせ、粘着剤２０ａ，２０ｂによってこれらを互いに貼着する。なお、粘着剤２０ａ，２０ｂは互いにのみ貼着可能であるため、これらを用いて返信部２の情報記入領域２ａ上に往信部１の分離領域１ａを貼着することができる。
【００２４】
図３は、図１に示した返信部２の情報記入領域２ａ上に往信部１の分離領域１ａが貼着された状態を示す図であり、（ａ）は表面から見た図、（ｂ）は（ａ）に示したＡ−Ａ’断面図である。
【００２５】
図３に示すように、図１に示した返信部２の情報記入領域２ａ上に往信部１の分離領域１ａが貼着された状態においては、情報記入領域２ａに記入された情報は、分離領域１ａによって覆われているため、外部から視認不可能となる。
【００２６】
このように返信部２の情報記入領域２ａ上に往信部１の分離領域１ａが貼着された状態において、この往復はがきの送付元に返信部２を送付することになる。この状態においては、情報記入領域２ａに記入された情報が分離領域１ａによって隠蔽されているため、往復はがきの送付途中において、情報記入領域２ａに記入された情報が見られてしまうことはない。
【００２７】
その後、この往復はがきがその送付元にて受け取られると、返信部２から分離領域１ａが剥離される。なお、粘着剤２０ａ，２０ｂは互いに剥離可能であるため、返信部２から分離領域１ａを剥離することができる。
【００２８】
図４は、図３に示したように返信部２の情報記入領域２ａ上に往信部１の分離領域１ａが貼着された後に返信部２から分離領域１ａが剥離された状態を示す図である。
【００２９】
図４に示すように、返信部２から分離領域１ａが剥離されると、返信部２の情報記入領域２ａに記入された情報４が外部から視認可能な状態となる。
【００３０】
これにより、往復はがきの送付元に、情報記入領域２ａに記入された情報４を通知しながらも、往復はがきの送付途中において、往信部１に区画形成された分離領域１ａを用いて、情報記入領域２ａに記入された情報が見られてしまうことを防止することができる。
【００３１】
なお、本形態においては、往信部１と返信部２とが折り線３を介して折り畳まれた場合に往信部１の情報記入領域２ａの裏面部分と対向する部分に、分離線１ｂを介して他の領域から分離される分離領域１ａが区画形成されているため、情報記入領域２ａと分離領域１ａの大きさが等しくなっているが、分離領域１ａが情報記入領域２ａの少なくとも一部を覆って情報記入領域２ａに記入された情報を隠蔽するものであればよい。
【００３２】
（第２の実施の形態）
図５は、本発明の往復はがきの第２の実施の形態を示す図であり、（ａ）は表面から見た図、（ｂ）は（ａ）に示したＡ−Ａ’断面図、（ｃ）は（ａ）に示したＢ−Ｂ’断面図、（ｄ）は裏面から見た図である。
【００３３】
本形態は図５に示すように、往信部１０１と返信部１０２とが折り線１０３を介して折り畳み可能に連接してなるものであって、返信部１０２の往復はがきにおける裏面側、すなわち往復はがきとして折り畳まれた場合に内面となる側の一部には、情報を記入するための情報記入領域１０２ａが設けられ、また、往信部１０１の裏面側、すなわち往復はがきとして折り畳まれた場合に内面となる側において、往信部１０１と返信部１０２とが折り線１０３を介して折り畳まれた場合に情報記入領域１０２ａと対向しない部分に、分離線１０１ｂを介して他の領域から分離される分離領域１０１ａが区画形成されている。また、返信部１０２の情報記入領域１０２ａ上には、はがき基材１１０上に第１の貼着手段である透明な粘着剤１２０ａが塗布されることにより第１の貼着層が積層されている。また、往信部１０１の分離領域１０１ａのうち裏面側には、はがき基材１１０上に第２の貼着手段である透明な粘着剤１２０ｂが塗布されることにより第２の貼着層が積層されている。すなわち、第１及び第２の貼着層は、往信部１０１と返信部１０２とが折り線１０３を介して往復はがきとして折り畳まれた場合に内面となる側において、互いに対向しない領域に積層されていることになる。また、粘着剤１２０ａ，１２０ｂについては、第１の実施の形態にて説明したようなものが用いられる。
【００３４】
以下に、上記のように構成された往復はがきの使用方法について説明する。
【００３５】
まず、上述した往復はがきを、図５（ａ）に示した表面が表出するように折り線１０３を介して折り畳む。
【００３６】
図６は、図５に示した往復はがきが折り畳まれた状態を示す図であり、（ａ）は往信部１０１側から見た図、（ｂ）は（ａ）に示したＡ−Ａ’断面図、（ｃ）は（ａ）に示したＢ−Ｂ’断面図、（ｄ）は返信部１０２側から見た図である。
【００３７】
図６に示すように、図５に示した往復はがきが、図５（ａ）に示した表面が表出するように折り線１０３を介して折り畳まれた場合、往信部１０１の分離領域１０１ａが設けられた部分においては、往信部１０１と返信部１０２とが、分離領域１０１ａに塗布された粘着剤１２０ｂを介して対向し、また、返信部１０２の情報記入領域１０２ａが設けられた部分においては、往信部１０１と返信部１０２とが、情報記入領域１０２ａに塗布された粘着剤１２０ａを介して対向することになる。ところが、往信部１０１の粘着剤１２０ｂが塗布された面は、返信部１０２の粘着剤１２０ａが塗布された面とのみ貼着し、他の紙や樹脂とは貼着せず、また、返信部１０２の粘着剤１２０ａが塗布された面は、往信部１０１の粘着剤１２０ｂが塗布された面とのみ貼着し、他の紙や樹脂とは貼着しないため、往信部１０１と返信部１０２とが粘着剤１２０ａ，１２０ｂによって貼着されてしまうことはない。
【００３８】
このような状態で往復はがきがその送付先に送付されることになる。
【００３９】
往復はがきがその送付先にて受け取られると、往復はがきの送付先において、返信部１０２に設けられた情報記入領域１０２ａに、往復はがきの送付元に通知すべき情報が記入されることになる。この際、上述したように、はがき基材１１０上に塗布された粘着剤１２０ａは筆記性を有するものであるため、はがき基材１１０上に粘着剤１２０ａが塗布されてなる返信部１０２の情報記入領域１０２ａには情報を記入することができる。このように情報記入領域１０２ａに情報を記入することにより、返信部１０２に情報を付与することになる。
【００４０】
次に、往信部１０１と返信部１０２とを折り線１０３を介して切り離すとともに、往信部１０１の分離領域１０１ａを分離線１０１ｂを介して他の領域から分離する。なお、この分離領域１０１ａの分離においては、分離線１０１ｂとしてミシン目を形成しておき、このミシン目によって分離することや、分離線１０１ｂをはさみ等で断裁することにより分離すること等が考えられる。
【００４１】
そして、往信部１０１から分離された分離領域１０１ａを返信部１０２の情報記入領域１０２ａ上に重ね合わせ、粘着剤１２０ａ，１２０ｂによってこれらを互いに貼着する。なお、粘着剤１２０ａ，１２０ｂは互いにのみ貼着可能であるため、これらを用いて返信部１０２の情報記入領域１０２ａ上に往信部１０１の分離領域１０１ａを貼着することができる。
【００４２】
図７は、図５に示した返信部１０２の情報記入領域１０２ａ上に往信部１０１の分離領域１０１ａが貼着された状態を示す図であり、（ａ）は表面から見た図、（ｂ）は（ａ）に示したＡ−Ａ’断面図である。
【００４３】
図７に示すように、図５に示した返信部１０２の情報記入領域１０２ａ上に往信部１０１の分離領域１０１ａが貼着された状態においては、情報記入領域１０２ａに記入された情報は、分離領域１０１ａによって覆われているため、外部から視認不可能となる。
【００４４】
このように返信部１０２の情報記入領域１０２ａ上に往信部１０１の分離領域１０１ａが貼着された状態において、この往復はがきの送付元に返信部１０２を送付することになる。この状態においては、情報記入領域１０２ａに記入された情報が分離領域１０１ａによって隠蔽されているため、往復はがきの送付途中において、情報記入領域１０２ａに記入された情報が見られてしまうことはない。
【００４５】
その後、この往復はがきがその送付元にて受け取られると、返信部１０２から分離領域１０１ａが剥離される。なお、粘着剤１２０ａ，１２０ｂは互いに剥離可能であるため、返信部１０２から分離領域１０１ａを剥離することができる。
【００４６】
図８は、図７に示したように返信部１０２の情報記入領域１０２ａ上に往信部１０１の分離領域１０１ａが貼着された後に返信部１０２から分離領域１０１ａが剥離された状態を示す図である。
【００４７】
図８に示すように、返信部１０２から分離領域１０１ａが剥離されると、返信部１０２の情報記入領域１０２ａに記入された情報１０４が外部から視認可能な状態となる。
【００４８】
これにより、往復はがきの送付元に、情報記入領域１０２ａに記入された情報１０４を通知しながらも、往復はがきの送付途中において、往信部１０１に区画形成された分離領域１０１ａを用いて、情報記入領域１０２ａに記入された情報が見られてしまうことを防止することができる。
【００４９】
なお、上述した２つの実施の形態においては、粘着剤２０ａ，２０ｂ、及び粘着剤１２０ａ，１２０ｂをそれぞれ、自己粘着性を有する高分子ポリマー等の同一の材料からなるものとしたが、互いにのみ貼着及び剥離可能であり、かつ、他の紙や樹脂等に貼着しないものであれば、同一材料のものでなくてもよい。例えば、溶剤の配合が互いに異なるものや他の混合物が混入しているもの等の類似な材料からなるものであってもよい。また、水とは混合しないポリマー粒子が、親水性と親油性を有する乳化剤が介在することにより安定的に共存したエマルジョンタイプのものであることが好ましい。
【図面の簡単な説明】
【００５０】
【図１】本発明の往復はがきの第１の実施の形態を示す図であり、（ａ）は表面から見た図、（ｂ）は（ａ）に示したＡ−Ａ’断面図、（ｃ）は裏面から見た図である。
【図２】図１に示した往復はがきが折り畳まれた状態を示す図であり、（ａ）は往信部側から見た図、（ｂ）は（ａ）に示したＡ−Ａ’断面図、（ｃ）は返信部側から見た図である。
【図３】図１に示した返信部の情報記入領域上に往信部の分離領域が貼着された状態を示す図であり、（ａ）は表面から見た図、（ｂ）は（ａ）に示したＡ−Ａ’断面図である。
【図４】図３に示したように返信部の情報記入領域上に往信部の分離領域が貼着された後に返信部から分離領域が剥離された状態を示す図である。
【図５】本発明の往復はがきの第２の実施の形態を示す図であり、（ａ）は表面から見た図、（ｂ）は（ａ）に示したＡ−Ａ’断面図、（ｃ）は（ａ）に示したＢ−Ｂ’断面図、（ｄ）は裏面から見た図である。
【図６】図５に示した往復はがきが折り畳まれた状態を示す図であり、（ａ）は往信部側から見た図、（ｂ）は（ａ）に示したＡ−Ａ’断面図、（ｃ）は（ａ）に示したＢ−Ｂ’断面図、（ｄ）は返信部側から見た図である。
【図７】図５に示した返信部の情報記入領域上に往信部の分離領域が貼着された状態を示す図であり、（ａ）は表面から見た図、（ｂ）は（ａ）に示したＡ−Ａ’断面図である。
【図８】図７に示したように返信部の情報記入領域上に往信部の分離領域が貼着された後に返信部から分離領域が剥離された状態を示す図である。
【符号の説明】
【００５１】
１，１０１    往信部
１ａ，１０１ａ    分離領域
１ｂ，１０１ｂ    分離線
２，１０２    返信部
２ａ，１０２ａ    情報記入領域
３，１０３    折り線
４，１０４    情報
１０，１１０    はがき基材
２０ａ，２０ｂ，１２０ａ，１２０ｂ    粘着剤
【図１】
2006347108.tif 000003
【図２】
2006347108.tif 000004
【図３】
2006347108.tif 000005
【図４】
2006347108.tif 000006
【図５】
2006347108.tif 000007
【図６】
2006347108.tif 000008
【図７】
2006347108.tif 000009
【図８】
2006347108.tif 000010